(57)【特許請求の範囲】
【請求項１】
遊技球が流下可能な遊技領域を前面に備えた遊技板と、
前記遊技領域に設けられ、遊技球の流下方向を変更又は誘導する複数の釘と、
前記遊技領域を囲み、前記遊技板の前面から突出して遊技球が前記遊技領域外に出ることを規制する区画壁と、
前記遊技領域内に配置され、前記遊技板の前面から突出して遊技球の流下方向を規制する流下規制突部と、
前記流下規制突部と前記区画壁との左右方向の間で挟まれて上下方向に延び、前記遊技領域の一部を構成するサイド流下領域と、
前記サイド流下領域の左右方向の間に突出形成されたサイド入賞突部と、
前記サイド入賞突部の上面に開口し、遊技球が入球すると遊技者に特典が付与される第１特典付与口と、
前記第１特典付与口における前記流下規制突部側の開口縁上方に隣接配置された前記釘である内寄開口縁釘と、
前記第１特典付与口における前記区画壁側の開口縁上方に隣接配置された前記釘である外寄開口縁釘と、
前記第１特典付与口の上方に位置し、前記内寄開口縁釘との間に遊技球が１つ通過する分の通過門口を有する一方、前記外寄開口縁釘との間を遊技球が通過できないように閉鎖した前記釘である頂点釘と、
前記サイド流下領域のうち前記頂点釘及び前記サイド入賞突部と前記流下規制突部との間に設けられ、遊技球が通過可能であると共に前記第１特典付与口に入球し得る内側分岐通路と、
前記サイド流下領域のうち前記頂点釘及び前記サイド入賞突部と前記区画壁との間に設けられ、前記内側分岐通路に対して前記頂点釘を始点に分岐し、遊技球が通過可能であると共に前記第１特典付与口に入球し得ない外側分岐通路と、
前記外側分岐通路の上方に設けられ、受けた遊技球を前記内側分岐通路側に向けて誘導可能な上部内向誘導部と、
前記流下規制突部のうち前記上部内向誘導部から誘導された遊技球が衝突し易い位置に一体形成され、流下してきた遊技球が衝突することで衝突した遊技球の進路を変更して前記第１特典付与口側に向けて誘導可能な入賞補助誘導部と、
前記サイド流下領域の下端部における前記区画壁側に設けられ、遊技球を受け入れて遊技者に特典を付与することなく前記遊技領域から排出するアウト口と、
前記サイド流下領域の下端部における前記アウト口より前記区画壁から離れた側に設けられ、遊技球を受け入れて遊技者に特典を付与することが可能な第２特典付与口と、
前記内側分岐通路の下方に位置し、前記内側分岐通路を通過した遊技球が衝突することで前記アウト口側に誘導可能な下部外向誘導部と、
前記外側分岐通路の下方に位置し、前記外側分岐通路を通過した遊技球が衝突することで前記第２特典付与口側に誘導可能な下部内向誘導部と、を備えたことを特徴とする遊技機。
【請求項２】
遊技球が流下可能な遊技領域を前面に備えた遊技板と、
前記遊技領域に設けられ、遊技球の流下方向を変更又は誘導する複数の釘と、
前記遊技領域を囲み、前記遊技板の前面から突出して遊技球が前記遊技領域外に出ることを規制する区画壁と、
前記遊技領域内に配置され、前記遊技板の前面から突出して遊技球の流下方向を規制する流下規制突部と、
前記流下規制突部と前記区画壁との左右方向の間で挟まれて上下方向に延び、前記遊技領域の一部を構成するサイド流下領域と、
前記サイド流下領域の左右方向の間に突出形成されたサイド入賞突部と、
前記サイド入賞突部の上面に開口し、遊技球が入球すると遊技者に特典が付与される第１特典付与口と、
前記第１特典付与口における前記流下規制突部側の開口縁上方に隣接配置された前記釘である内寄開口縁釘と、
前記第１特典付与口における前記区画壁側の開口縁上方に隣接配置された前記釘である外寄開口縁釘と、
前記第１特典付与口の上方に位置し、前記内寄開口縁釘との間に遊技球が１つ通過する分の通過門口を有する一方、前記外寄開口縁釘との間に前記通過門口より遊技球が通過し難いサブ通過門口を有する前記釘である頂点釘と、
前記サイド流下領域のうち前記頂点釘及び前記サイド入賞突部と前記流下規制突部との間に設けられ、遊技球が通過可能であると共に前記第１特典付与口に入球し得る内側分岐通路と、
前記サイド流下領域のうち前記頂点釘及び前記サイド入賞突部と前記区画壁との間に設けられ、前記内側分岐通路に対して前記頂点釘を始点に分岐し、遊技球が通過可能であると共に前記内側分岐通路に比べて前記第１特典付与口に入球し難い外側分岐通路と、
前記外側分岐通路の上方に設けられ、受けた遊技球を前記内側分岐通路側に向けて誘導可能な上部内向誘導部と、
前記流下規制突部のうち前記上部内向誘導部から誘導された遊技球が衝突し易い位置に一体形成され、流下してきた遊技球が衝突することで衝突した遊技球の進路を変更して前記第１特典付与口側に向けて誘導可能な入賞補助誘導部と、
前記サイド流下領域の下端部における前記区画壁側に設けられ、遊技球を受け入れて遊技者に特典を付与することなく前記遊技領域から排出するアウト口と、
前記サイド流下領域の下端部における前記アウト口より前記区画壁から離れた側に設けられ、遊技球を受け入れて遊技者に特典を付与することが可能な第２特典付与口と、
前記内側分岐通路の下方に位置し、前記内側分岐通路を通過した遊技球が衝突することで前記アウト口側に誘導可能な下部外向誘導部と、
前記外側分岐通路の下方に位置し、前記外側分岐通路を通過した遊技球が衝突することで前記第２特典付与口側に誘導可能な下部内向誘導部と、を備えたことを特徴とする遊技機。
【請求項３】
前記サイド流下領域の下端部から前記遊技領域の左右方向の中央側に向けて斜め下方に延びた傾斜通路と、
前記傾斜通路のうち遊技球が転動する転動面に設けられて開閉扉によって開閉される可変入賞口とが備えられ、
前記傾斜通路に遊技球を受け入れるための開口が前記第２特典付与口になっていることを特徴とする請求項１又は２に記載の遊技機。
【請求項４】
前記遊技領域のうち遊技球が前記傾斜通路を通過することで案内される位置に、遊技球を受け入れて遊技者に特典を付与する第３特典付与口が設けられたことを特徴とする請求項３に記載の遊技機。
【請求項５】
前記内側分岐通路の上方に設けられ、受けた遊技球を前記外側分岐通路に向けて誘導可能な上部外向誘導部を備えたことを特徴とする請求項１乃至４の何れか１の請求項に記載の遊技機。
【発明の詳細な説明】
【技術分野】
【０００１】
本発明は、遊技板の前面の遊技領域を囲む区画壁とその遊技領域内の流下規制突部とに挟まれて上下に延びたサイド流下領域を有する遊技機に関する。
【背景技術】
【０００２】
この種の従来の遊技機として、遊技領域の中央の液晶表示画面を囲むように流下規制突部を備え、その流下規制突部の側方のサイド流下領域に、遊技球が通過又は入賞可能な複数の入賞突部を備えたものが知られている（例えば、特許文献１参照）。
【先行技術文献】
【特許文献】
【０００３】
【特許文献１】特開２００７−２５２６２９号（図３）
【発明の概要】
【発明が解決しようとする課題】
【０００４】
ところで、上記した従来の遊技機を含む近年の遊技機では、液晶表示画面等の遊技部材の大型化に伴い、流下規制突部が区画壁に接近してサイド流下領域が狭くなっている。これに対し、上記した従来の遊技機では、複数の入賞突部をサイド流下領域の長手方向に単純に一列に並べて各入賞突部の上方に単に分岐用釘を設けた構成になっていたので、各入賞突部に対して分岐用釘の左右の何れかから遊技球が入球するか或いは外れるかの振り分けしか行えず、またアウト口は、遊技領域の最下部に配置されていたので、遊技状態によっては（例えば、アウト口の上方に設けられた可変入賞口が閉じた状態）では、サイド流下領域を通過してきた遊技球が、上流側でアウト口に入球することが確定してしまうという問題もあった。即ち、サイド流下領域の左右方向の幅が狭くなることで入賞突部とアウト口に対するバランスのとれた入球振分の構成とすることが困難になってきた。
【０００５】
本発明は、上記事情に鑑みてなされたもので、サイド流下領域が狭くなっても入賞突部とアウト口に対するバランスのとれた入球振分の構成とすることが可能な遊技機の提供を目的とする。
【課題を解決するための手段】
【０００６】
上記目的を達成するためになされた請求項１の発明に係る遊技機は、遊技球が流下可能な遊技領域を前面に備えた遊技板と、遊技領域に設けられ、遊技球の流下方向を変更又は誘導する複数の釘と、遊技領域を囲み、遊技板の前面から突出して遊技球が遊技領域外に出ることを規制する区画壁と、遊技領域内に配置され、遊技板の前面から突出して遊技球の流下方向を規制する流下規制突部と、流下規制突部と区画壁との左右方向の間で挟まれて上下方向に延び、遊技領域の一部を構成するサイド流下領域と、サイド流下領域の左右方向の間に突出形成されたサイド入賞突部と、サイド入賞突部の上面に開口し、遊技球が入球すると遊技者に特典が付与される第１特典付与口と、第１特典付与口における流下規制突部側の開口縁上方に隣接配置された釘である内寄開口縁釘と、第１特典付与口における区画壁側の開口縁上方に隣接配置された釘である外寄開口縁釘と、第１特典付与口の上方に位置し、内寄開口縁釘との間に遊技球が１つ通過する分の通過門口を有する一方、外寄開口縁釘との間を遊技球が通過できないように閉鎖した釘である頂点釘と、サイド流下領域のうち頂点釘及びサイド入賞突部と流下規制突部との間に設けられ、遊技球が通過可能であると共に第１特典付与口に入球し得る内側分岐通路と、サイド流下領域のうち頂点釘及びサイド入賞突部と区画壁との間に設けられ、内側分岐通路に対して頂点釘を始点に分岐し、遊技球が通過可能であると共に第１特典付与口に入球し得ない外側分岐通路と、外側分岐通路の上方に設けられ、受けた遊技球を内側分岐通路側に向けて誘導可能な上部内向誘導部と、流下規制突部のうち上部内向誘導部から誘導された遊技球が衝突し易い位置に一体形成され、流下してきた遊技球が衝突することで衝突した遊技球の進路を変更して第１特典付与口側に向けて誘導可能な入賞補助誘導部と、サイド流下領域の下端部における区画壁側に設けられ、遊技球を受け入れて遊技者に特典を付与することなく遊技領域から排出するアウト口と、サイド流下領域の下端部におけるアウト口より区画壁から離れた側に設けられ、遊技球を受け入れて遊技者に特典を付与することが可能な第２特典付与口と、内側分岐通路の下方に位置し、内側分岐通路を通過した遊技球が衝突することでアウト口側に誘導可能な下部外向誘導部と、外側分岐通路の下方に位置し、外側分岐通路を通過した遊技球が衝突することで第２特典付与口側に誘導可能な下部内向誘導部と、を備えたところに特徴を有する。
【０００７】
請求項２の発明に係る遊技機は、遊技球が流下可能な遊技領域を前面に備えた遊技板と、遊技領域に設けられ、遊技球の流下方向を変更又は誘導する複数の釘と、遊技領域を囲み、遊技板の前面から突出して遊技球が遊技領域外に出ることを規制する区画壁と、遊技領域内に配置され、遊技板の前面から突出して遊技球の流下方向を規制する流下規制突部と、流下規制突部と区画壁との左右方向の間で挟まれて上下方向に延び、遊技領域の一部を構成するサイド流下領域と、サイド流下領域の左右方向の間に突出形成されたサイド入賞突部と、サイド入賞突部の上面に開口し、遊技球が入球すると遊技者に特典が付与される第１特典付与口と、第１特典付与口における流下規制突部側の開口縁上方に隣接配置された釘である内寄開口縁釘と、第１特典付与口における区画壁側の開口縁上方に隣接配置された釘である外寄開口縁釘と、第１特典付与口の上方に位置し、内寄開口縁釘との間に遊技球が１つ通過する分の通過門口を有する一方、外寄開口縁釘との間に通過門口より遊技球が通過し難いサブ通過門口を有する釘である頂点釘と、サイド流下領域のうち頂点釘及びサイド入賞突部と流下規制突部との間に設けられ、遊技球が通過可能であると共に第１特典付与口に入球し得る内側分岐通路と、サイド流下領域のうち頂点釘及びサイド入賞突部と区画壁との間に設けられ、内側分岐通路に対して頂点釘を始点に分岐し、遊技球が通過可能であると共に内側分岐通路に比べて第１特典付与口に入球し難い外側分岐通路と、外側分岐通路の上方に設けられ、受けた遊技球を内側分岐通路側に向けて誘導可能な上部内向誘導部と、流下規制突部のうち上部内向誘導部から誘導された遊技球が衝突し易い位置に一体形成され、流下してきた遊技球が衝突することで衝突した遊技球の進路を変更して第１特典付与口側に向けて誘導可能な入賞補助誘導部と、サイド流下領域の下端部における区画壁側に設けられ、遊技球を受け入れて遊技者に特典を付与することなく遊技領域から排出するアウト口と、サイド流下領域の下端部におけるアウト口より区画壁から離れた側に設けられ、遊技球を受け入れて遊技者に特典を付与することが可能な第２特典付与口と、内側分岐通路の下方に位置し、内側分岐通路を通過した遊技球が衝突することでアウト口側に誘導可能な下部外向誘導部と、外側分岐通路の下方に位置し、外側分岐通路を通過した遊技球が衝突することで第２特典付与口側に誘導可能な下部内向誘導部と、を備えたところに特徴を有する。
【０００８】
請求項３の発明は、請求項１又は２に記載の遊技機において、サイド流下領域の下端部から遊技領域の左右方向の中央側に向けて斜め下方に延びた傾斜通路と、傾斜通路のうち遊技球が転動する転動面に設けられて開閉扉によって開閉される可変入賞口とが備えられ、傾斜通路に遊技球を受け入れるための開口が第２特典付与口になっているところに特徴を有する。
【０００９】
請求項４の発明は、請求項３に記載の遊技機において、遊技領域のうち遊技球が傾斜通路を通過することで案内される位置に、遊技球を受け入れて遊技者に特典を付与する第３特典付与口が設けられたところに特徴を有する。
【００１０】
請求項５の発明は、請求項１乃至４の何れか１の請求項に記載の遊技機において、内側分岐通路の上方に設けられ、受けた遊技球を外側分岐通路に向けて誘導可能な上部外向誘導部を備えたところに特徴を有する。
【発明の効果】
【００１１】
請求項１及び２の遊技機では、サイド流下領域は、上面に第１特典付与口を有したサイド入賞突部によって内側分岐通路と外側分岐通路とに分けられる。そして、遊技球が内側分岐通路に流れ込むと入賞補助誘導部により第１特典付与口に入球し易くなるが、遊技球が外側分岐通路に流れ込むと、第１特典付与口に入球しないか又は入球し難くなる。ところが、外側分岐通路に向かった遊技球が、その外側分岐通路の上方の上部内向誘導部に衝突すると、サイド入賞突部の上方を横切って内側分岐通路に流れこむように誘導され（跳ね返され）、そこで入賞補助誘導部によりサイド入賞突部の第１特典付与口に向かうように誘導可能（跳ね返え可能）に構成され、その上、第１特典付与口に入球し易い内側分岐通路に流れ込んだのに、第１特典付与口に入球せずに内側分岐通路を通過した遊技球は、下部外向誘導部で誘導されて（跳ね返されて）アウト口側に誘導される一方、第１特典付与口に入球しない又は入球し難い外側分岐通路を通過した遊技球は、下部内向誘導部で誘導されて（跳ね返されて）第２特典付与口側に誘導されるので、サイド流下領域が狭くなっても第１特典付与口とアウト口と第２特典付与口に対するバランスのとれた入球振分の構成とすることが可能となる。
【００１２】
請求項３の遊技機では、サイド流下領域の下端部から遊技領域の左右方向の中央側に向けて斜め下方に延びた傾斜通路を備え、その傾斜通路に遊技球を受け入れるための開口が第２特典付与口をなしている。そして、傾斜通路の転動面に可変入賞口が設けられているので、可変入賞口が開いている場合と閉じている場合とで、第１特典付与口に入球することの価値が変化し、第１特典付与口に入球することが遊技者にとって総合的に有利に作用するか否かが煩雑になり、趣向性をより一層高めることが可能になっている。また、請求項４の遊技機は、遊技領域のうち遊技球が傾斜通路を通過することで案内される位置に第３特典付与口が設けられているので、第１特典付与口に入球することが、遊技者に総合的に有利に作用するか否かが更に煩雑になり、趣向性をより一層高めることが可能になっている。
【００１３】
請求項５の遊技機は、内側分岐通路の上方に設けられた上部外向誘導部に衝突した遊技球が、外側分岐通路に向けて誘導される（跳ね返される）ので、この上部外向誘導部と前記した上部内向誘導部とに衝突して流下する（跳ね返された）遊技球が、サイド入賞突部の上方でクロスする軌跡を描いて流下することで、流下態様の趣向性を高めることが可能となる。
【図面の簡単な説明】
【００１４】
【図１】本発明の一実施形態に係るパチンコ遊技機の正面図
【図２】遊技板の正面図
【図３】遊技領域の右側のサイド流下領域の正面図
【図４】サイド流下領域のうちサイド普通入賞突部の周囲の部分拡大正面図
【発明を実施するための形態】
【００１５】
以下、本発明を適用したパチンコ遊技機１０に係る一実施形態を図１〜図４に基づいて説明する。なお、以下の説明において、パチンコ遊技機１０のうち遊技者に対向する面を「前面」、その反対側の面を「後面」といい、遊技者からパチンコ遊技機１０を見て右側、即ち、図１〜図４における右側を、パチンコ遊技機１０及びその各構成部品における右側といい、その反対側を「左側」ということとする。
【００１６】
図１に示すように、パチンコ遊技機１０は、前面中央にガラス窓９５Ｗを備えていて、そのガラス窓９５Ｗを通して図２に示した遊技領域Ｒ１を視認することができる。また、パチンコ遊技機１０の前面のうちガラス窓９５Ｗの上部及び両側部には装飾ランプ９７が設けられ、上端両角部にはスピーカ９８，９８が設けられている。さらに、ガラス窓９５Ｗの下方には、上皿２６及び下皿２７が上下２段にして設けられている。そして、パチンコ遊技機１０の前面右下角部に備えた操作ノブ２８を操作すると、上皿２６に貯留された遊技球が、順次、遊技領域Ｒ１に向けて弾き出される。また、上皿２６の横のボタン２６Ｂを押すと、上皿２６内の遊技球が下皿２７に移動する。
【００１７】
図２には、遊技領域Ｒ１を前面に備えた遊技板１１が示されている。遊技板１１は、全体が略四角形をなし、その上部の両角部は、斜めにカットされている。この遊技板１１の前面から突出した第１及び第２のガイドレール１２Ａ，１２Ｂと区画レール１９が、本発明に係る「区画壁」となって遊技領域Ｒ１を囲んでいる。具体的には、第１及び第２のガイドレール１２Ａ，１２Ｂは帯板状をなして、その帯幅方向を遊技板１１の前後方向に向けた状態で遊技板１１の前面に取り付けられている。また、第１ガイドレール１２Ａは、遊技板１１の外縁部における下辺の左端部寄り位置と、左辺の中央位置と、上辺の中央位置と、右上角部近傍の右辺寄り位置と、を繋げる円弧状をなして延びている。また、第２ガイドレール１２Ｂは、遊技板１１の外縁部の下辺中央部より上方に離れた位置から遊技板１１の左上角部近傍で第１ガイドレール１２Ａより内側に遊技球１つ分ずれた位置まで、第１ガイドレール１２Ａに沿った円弧状をなして延びている。
【００１８】
なお、第２ガイドレール１２Ｂには、下端寄り位置から遊技板１１の下辺部に向かって第２ガイドレール１２Ｂの円弧の接線方向に延びた分岐レール１２Ｃが一体に備えられている。
【００１９】
また、区画レール１９は、遊技板１１の外縁部の下辺と右辺とに沿って延びて、その下辺に沿った部分の先端が第２ガイドレール１２Ｂの始端部に接合される一方、右辺に沿った部分の上側が第１ガイドレール１２Ａの終端部に接合されている。
【００２０】
遊技領域Ｒ１は、第２ガイドレール１２Ｂの内面を延長してなる架空の基準円Ｃ１の一部を第１ガイドレール１２Ａと区画レール１９によって外側に拡張した形状をなしている。詳細には、区画レール１９は、第２ガイドレール１２Ｂの始端部に接合された端部側に第２ガイドレール１２Ｂの内面の延長線上に延びた延長円弧面１９Ａを有し、その延長円弧面１９Ａは、基準円Ｃ１の最下部より僅かに右上に離れた位置まで延びている。また、延長円弧面１９Ａの右上端部から拡張区画傾斜面１９Ｂが基準円Ｃ１の外側に折れ曲がって右上がりに僅かに傾斜した直線状に延びている。その拡張区画傾斜面１９Ｂは、遊技板１１の右下角部近傍で上方に向かうように湾曲してから拡張区画内側面１９Ｃとなって上方に延びている。その拡張区画内側面１９Ｃは、基準円Ｃ１より緩やかな円弧を描きながら上方に向かうと共に、途中から徐々に円弧の曲率が大きくなって第２ガイドレール１２Ｂの終端寄り位置まで延びている。また、区画レール１９の上端部には、拡張区画内側面１９Ｃの上端部に対して段付き状に外側にずれて第１ガイドレール１２Ａの終端下方に隣接配置された垂直面１９Ｄが備えられ、その垂直面１９Ｄに、ゴム製の緩衝部材１９Ｋが取り付けられている。
【００２１】
遊技板１１には、遊技領域Ｒ１の最下部と拡張区画内側面１９Ｃの下端部近傍とに、アウト口１６Ａ，１６Ｂが貫通形成されている。遊技領域Ｒ１の最下部に位置した一方のアウト口１６Ａは、２〜３つの遊技球が横並びになって一度に入球可能な大きさをなす一方、他方のアウト口１６Ｂは、拡張区画内側面１９Ｃの下端部近傍に位置し、遊技球が丁度１つ通過可能な大きさをなしている。そして、これらアウト口１６Ａ，１６Ｂに遊技球が入球することで、遊技者に特典が付与されることなく、遊技球が遊技領域Ｒ１から遊技板１１の後側に排出される。
【００２２】
遊技板１１の後面には表示装置１３が取り付けられ、遊技板１１の遊技領域Ｒ１に貫通形成された表示窓１１Ａを通して表示装置１３の液晶表示画面１３Ｇを遊技板１１の前方から見ることができる。また、表示窓１１Ａには表示装飾枠２３が前方から嵌め込まれ、遊技板１１を前方から見ると液晶表示画面１３Ｇが表示装飾枠２３によって囲まれた状態になっている。そして、表示装飾枠２３のうち液晶表示画面１３Ｇより上方部分と両側方部分が、本発明に係る流下規制突部２４になっていて、その流下規制突部２４は、前記したガラス窓９５Ｗのガラス板に隣接する位置まで突出して、遊技球の流下方向を規制している。
【００２３】
具体的には、流下規制突部２４のうち液晶表示画面１３Ｇより上方の上側流下規制部２４Ａは、上方に膨らんだ形状をなし、その上面の左寄り位置から右端位置に亘る範囲が、第１ガイドレール１２Ａに対して遊技球１つ分の間隔を開けて対向した円弧ガイド部２４Ｂになっている。また、上側流下規制部２４Ａの上面の左側部分は、円弧ガイド部２４Ｂから段付き状に下がった球受段差部２４Ｃになっている。さらには、表示装飾枠２３には、遊技板１１の前面に敷設されて螺子止めされた固定突片２５が備えられ、その固定突片２５の一部が上側流下規制部２４Ａの左側部分から上方に張り出している。そして、その固定突片２５に一体形成された複数の障害突部２５Ｔが、球受段差部２４Ｃの近傍に配置されて、遊技球の流下方向を規制している。また、上側流下規制部２４Ａにおける左側端部と第２ガイドレール１２Ｂとの間には、遊技球が１つずつ通過可能な左流下峡部２４Ｘが形成されている。そして、第２ガイドレール１２Ｂの終端と第１ガイドレール１２Ａとの間の遊技球打込口１２Ｄから遊技領域Ｒ１内に遊技球が打ち込まれ、その打ち込み強度が小さい遊技球は、球受段差部２４Ｃ又は障害突部２５Ｔに当接して、左流下峡部２４Ｘを通って遊技領域Ｒ１のうち表示装飾枠２３の左側のサイド流下領域Ｒ２に向かう。また、上側流下規制部２４Ａの右側端部と緩衝部材１９Ｋとの間には、遊技球が１つずつ通過可能な右流下峡部２４Ｙが形成されていて、遊技球打込口１２Ｄから比較的強く遊技領域Ｒ１内に打ち込まれた遊技球は、緩衝部材１９Ｋに衝突して、右流下峡部２４Ｙを通り、遊技領域Ｒ１のうち表示装飾枠２３の右側のサイド流下領域Ｒ３に向かう。
【００２４】
流下規制突部２４のうち液晶表示画面１３Ｇより左方の左側流下規制部２４Ｌは、上側流下規制部２４Ａの左側端部から遊技領域Ｒ１の上下方向の中心より僅かに下方となる位置に亘って形成されている。また、左側流下規制部２４Ｌは、その下端寄り位置から下端部に亘る範囲が右斜め下方に向かって傾斜していて、その傾斜部分の内部にワープ路２４Ｗが貫通形成されている。そのワープ路２４Ｗは、一端部が左側流下規制部２４Ｌの外側面に開放する一方、他端部が表示装飾枠２３内のステージ２３Ｓに臨むように開放している。
【００２５】
ステージ２３Ｓは、遊技板１１の前面より表示窓１１Ａの内に引っ込んだ位置に配置されて、下方に膨らむように湾曲している。また、ステージ２３Ｓの後縁部からはパネル２３Ｐが上方に突出していて液晶表示画面１３Ｇの下端部を前方から覆っている。そして、表示装飾枠２３の左側のサイド流下領域Ｒ２からワープ路２４Ｗに進入した遊技球がステージ２３Ｓ上に排出されて転動する。また、ステージ２３Ｓの最下部には、図示しない遊技球導入口が開口していて、そこに遊技球が進入すると、表示装飾枠２３の下端部前面に開放したセンター排出口２３Ｕから鉛直下方に排出される。また、遊技球は、ステージ２３Ｓの前縁部からも前方に落下し得るようになっている。
【００２６】
遊技領域Ｒ１のうち表示装飾枠２３の下方の下部流下領域Ｒ１０には、センター排出口２３Ｕの鉛直下方に第１始動入賞突部１４Ａが設けられている。第１始動入賞突部１４Ａは、遊技板１１の前面から突出し、上面に遊技球を受け入れ可能な図示しない入賞口を備えている。そして、遊技球がステージ２３Ｓを転動してセンター排出口２３Ｕから排出される流下経路を経ると、それ以外の流下経路を経た場合に比べて第１始動入賞突部１４Ａの入賞口に入球し易くなる。
【００２７】
また、第１始動入賞突部１４Ａの鉛直下方に第２始動入賞突部１４Ｂが設けられている。第２始動入賞突部１４Ｂは、遊技板１１の前面から突出し、上面に図示しない入賞口（本発明の「第３特典付与口」に相当する）を有し、その入賞口の両側部に、１対の回動片１４Ｃ，１４Ｃを回動可能に備えている。そして、これら回動片１４Ｃ，１４Ｃは通常は起立していて第２始動入賞突部１４Ｂの入賞口への入球を規制し、所定条件の成立によって回動片１４Ｃ，１４Ｃが外側に倒れ、遊技球を第２始動入賞突部１４Ｂの入賞口に案内する。また、下部流下領域Ｒ１０の左側部分には，第１始動入賞突部１４Ａと同構造の複数の普通入賞部２０が水平方向に対して斜め一列にして設けられ、下部流下領域Ｒ１０の左側のサイド流下領域Ｒ２との境界部分には、風車１７が回転可能に取り付けられている。
【００２８】
なお、上記した第１及び第２の始動入賞部１４Ａ，１４Ｂ、普通入賞部２０及び、後述の第１及び第２の可変入賞口５１，５５、さらには、サイド普通入賞突部５９（本発明の「サイド入賞突部」に相当する）に遊技球が入球すると、それぞれ所定複数の賞球が上皿２６（図１参照）に払い出されるようになっている。
【００２９】
流下規制突部２４のうち液晶表示画面１３Ｇより右方の右側流下規制部２４Ｒは、上側流下規制部２４Ａに右側端部からステージ２３Ｓより下側となる位置に亘って形成されている。なお、右側のサイド流下領域Ｒ３のうち区画レール１９の拡張区画内側面１９Ｃの上端部と右側流下規制部２４Ｒとに挟まれた部分は、遊技球１つ通過できる分の幅をなしたサイド進入路９０になっていて、そのサイド進入路９０の一部は、区画レール１９と右側流下規制部２４Ｒとの間に差し渡されたカバー片２４Ｔによって前方から覆われている。そして、右流下峡部２４Ｙ（図２参照）を通過した遊技球が、カバー片２４Ｔの後方を通過するようになっている。
【００３０】
図３及び図４では、遊技板１１の前面から突出して遊技球の流下方向を規制する突出部分（即ち、右側流下規制部２４Ｒ、区画レール１９及び、後述する始動ゲート５８、サイド普通入賞突部５９）にハッチングを付して、それら突出部分と、遊技球が流下可能なサイド流下領域Ｒ３とが区別されている。また、図３及び図４では、遊技板１１の前面に敷設された前記固定突片２５（図２参照）等は省略されている。以下、図３に基づいて、右側のサイド流下領域Ｒ３周りの構成を詳説する。
【００３１】
右側流下規制部２４Ｒのうち右側を向いて拡張区画内側面１９Ｃと対向した部分には、上から順番に、第１〜第７の流下規制面４１〜４７が備えられている。第１流下規制面４１は、右側流下規制部２４Ｒのうちカバー片２４Ｔが形成された部分から湾曲しながら左下方に向かい、途中で鉛直方向を向いた直線状になって、サイド流下領域Ｒ３の上下方向の中央付近まで延びている。また、第１流下規制面４１の下端部には、拡張区画内側面１９Ｃ側に開放可能な第１可変入賞口５１が形成され、次述する回動蓋５２によって通常は閉塞されている。なお、第１可変入賞口５１の上下方向の開口幅は遊技球の約２個分の大きさになっている。
【００３２】
第２流下規制面４２は、第１流下規制面４１の下端部より拡張区画内側面１９Ｃ側に突出した位置から下方に直線状に延び、第３流下規制面４３は第２流下規制面４２の下端部から拡張区画内側面１９Ｃ側に徐々に張り出すように湾曲し、さらに、第４流下規制面４４は、第３流下規制面４３の下端部から鉛直下方に僅かに延びている。また、第２流下規制面４２の全長は、遊技球の３〜４個分程度、第３流下規制面４３の全長は、遊技球の１〜２個分程度、第４流下規制面４４の全長は遊技球の０．５個分程度の大きさになっている。さらに、第１と第２の流下規制面４１，４２の段差部には、回動蓋５２が回動可能に連結されていて、その回動蓋５２は、回動中心から起立した姿勢になると第１可変入賞口５１を閉塞し、拡張区画内側面１９Ｃ側に倒れると遊技球を第１可変入賞口５１に案内する。また、回動蓋５２は、第１と第２の流下規制面４１，４２の段差を埋める厚さをなしかつ外面先端部が丸みを帯びていて、回動蓋５２を閉じると、回動蓋５２の外面が第１流下規制面４１から緩やかに外側に張り出して第２流下規制面４２に繋がった状態になる。
【００３３】
第５流下規制面４５は、拡張区画内側面１９Ｃと反対側に湾曲しつつ第４流下規制面４４の下端部から斜め左下方に延びている。そして、この第４と第５の流下規制面４４，４５の間が、第４流下規制面４４を先端に有した上部外向誘導部４４Ｔとなって拡張区画内側面１９Ｃ側に突出している。なお、第５流下規制面４５の全長は遊技球の１〜２個分程度になっている。
【００３４】
第６流下規制面４６は、拡張区画内側面１９Ｃと反対側に湾曲しながら第５流下規制面４５の下端部から斜め左下方に延び、その全長は遊技球の１〜２個分程度になっている。そして、第５と第６の流下規制面４５，４６の境界部分が拡張区画内側面１９Ｃ側に競り出すように突出した入賞補助誘導部４５Ｔになっている。
【００３５】
第７流下規制面４７は、第６流下規制面４６の下端部から下方に延びかつ拡張区画内側面１９Ｃに向かって膨出した円弧状をなして、第６流下規制面４６の下端部より拡張区画内側面１９Ｃ側に張り出している。そして、この第７流下規制面４７のうち最も拡張区画内側面１９Ｃ側に張り出した部位の近傍（円弧の凸状部）が、本発明に係る下部外向誘導部４７Ｔになっている。
【００３６】
また、遊技板１１の前方から見た第７流下規制面４７の湾曲は、右側流下規制部２４Ｒの下端部前面に備えた装飾パネル２４Ｐの輪郭の一部と重なっている。具体的には、装飾パネル２４Ｐは、上方に膨らんだ湾曲線の下端部を直線で結んだ輪郭形状をなし、その装飾パネル２４Ｐの輪郭の右側部が第７流下規制面４７の湾曲と重なっている。
【００３７】
装飾パネル２４Ｐの輪郭の直線部分は、左下がりに傾斜していて、その傾斜の端部に沿って右側流下規制部２４Ｒの下面２４Ｋが形成されている。また、右側流下規制部２４Ｒの下方には、入賞ブロック５３が設けられている。入賞ブロック５３の上面は、右側流下規制部２４Ｒの下面２４Ｋと平行な傾斜転動面５４になっていて、入賞ブロック５３の下面は、区画レール１９に並設され、延長円弧面１９Ａの一部と拡張区画傾斜面１９Ｂとに跨って接合されている。詳細には、傾斜転動面５４と右側流下規制部２４Ｒの下面２４Ｋとの間は、本発明に係る傾斜通路５７になっていて、その傾斜通路５７の上下前後の幅は、遊技球が１つ通過できる分の大きさになっている。また、傾斜転動面５４の長手方向における中間部分には、第２可変入賞口５５が形成されている。第２可変入賞口５５は、傾斜転動面５４の長手方向に遊技球を４〜６個並べた開口幅を有し、通常は、開閉スライド板５６によって閉塞されている。
【００３８】
傾斜転動面５４のうち右側端部は、第７流下規制面４７より右側に突出していて、拡張区画内側面１９Ｃから遊技球の１〜２個分離れた位置に配置されている。そして、傾斜転動面５４の右側端部と第７流下規制面４７の下端部との間が、傾斜通路５７に遊技球を受け入れるための本発明に係る「第２特典付与口」に相当するサイド特別入賞口５７Ｋになっている。
【００３９】
傾斜通路５７の左側端部は、図２に示すように第２始動入賞突部１４Ｂの入賞口に対して、斜め上方から臨んでいる。なお、図３に示すように、入賞ブロック５３の右側端部における下側部分は、左側に切れ込むように切り欠かれていて、アウト口１６Ｂに遊技球を案内する誘導路５３Ｒを構成している。
【００４０】
サイド流下領域Ｒ３には、始動ゲート５８とサイド普通入賞突部５９とが設けられている。始動ゲート５８は、遊技球が内側を通過可能が門形構造をなし、第１可変入賞口５１より上方でかつ、第１流下規制面４１と拡張区画内側面１９Ｃとの間の中央に配置されている。これにより、サイド流下領域Ｒ３の上端部が、始動ゲート５８の内側と右側と左側の各流下経路に分けられている。
【００４１】
サイド普通入賞突部５９は、遊技板１１の前面から突出し、上面に本発明に係る「第１特典付与口」に相当するサイド普通入賞口５９Ａ（図４参照）を有している。また、そのサイド普通入賞口５９Ａは、遊技球が丁度１つ入球可能な大きさをなしている。そして、サイド普通入賞突部５９は、サイド流下領域Ｒ３の下端部において第７流下規制面４７と拡張区画内側面１９Ｃとの間の中央に配置され、これにより、サイド流下領域Ｒ３の下端部が、サイド普通入賞突部５９より右側の本発明に係る外側分岐通路Ｒ４と、サイド普通入賞突部５９より左側の本発明に係る内側分岐通路Ｒ５とに分けられている。
【００４２】
図２に示すように、遊技領域Ｒ１には、複数の釘６０が打ち付けられて先方に突出しており、これら釘６０群によって、遊技球の流下方向を変更又は規制されたり、所定の箇所に誘導されるようになっている。なお、各釘６０は、本体部（図４の外寄開口縁釘６２等の「破線で示された円」参照）の先端にヘッド部（図４の外寄開口縁釘６２等の「実線で示された円」参照）を備えた構造をなし、本体部に遊技球が当接するようになっている。以下、釘６０群のうちサイド普通入賞突部５９の周辺の本発明との関連が深い内寄開口縁釘６１、外寄開口縁釘６２、頂点釘６３等について図４を参照して説明する。
【００４３】
内寄開口縁釘６１は、サイド普通入賞口５９Ａの左側開口縁（流下規制突部側）の上方に隣接配置される一方、外寄開口縁釘６２は、サイド普通入賞口５９Ａの右側開口縁（区画壁側）の上方に隣接配置されている。また、頂点釘６３は、サイド普通入賞口５９Ａの横幅方向の略中心の上方に位置し、内寄開口縁釘６１と外寄開口縁釘６２と頂点釘６３とが正三角形の頂点をなすように配置されている。また、頂点釘６３と外寄開口縁釘６２との間には、そこからサイド普通入賞口５９Ａに遊技球が入球できないようにするための障害釘６４が備えられている。一方、内寄開口縁釘６１と頂点釘６３との間は、遊技球が１つ通過する分の通過門口６１Ｋになっている。なお、上記した外側分岐通路Ｒ４と内側分岐通路Ｒ５とは、頂点釘６３を始点にして分岐している。
【００４４】
外側分岐通路Ｒ４の上方には、１対のサイド上部誘導釘６５，６５が備えられている。これら１対のサイド上部誘導釘６５，６５は、左下がりに傾斜した架空の線に沿って隣接して並べられて本発明に係る上部内向誘導部６５Ｋを構成している。また、頂点釘６３の斜め左上で第５流下規制面４５の上端部に隣接した位置には、頂点釘６３との間が遊技球、１個分離して調整釘６８が備えられている。そして、遊技球が上部内向誘導部６５Ｋに衝突する（跳ね返される）ことで、頂点釘６３と調整釘６８との間の方向に誘導され、内側分岐通路Ｒ５に進入する可能性が高くなっている。また、右側流下規制部２４Ｒのうち上部内向誘導部６５Ｋから誘導された（跳ね返された）遊技球が衝突し易い位置に上記した入賞補助誘導部４５Ｔが位置していて、その入賞補助誘導部４５Ｔに遊技球が衝突することで遊技球の進路が通過門口６１Ｋ側に変更され、通過門口６１Ｋからサイド普通入賞突部５９へと入球し易くなるように構成されている。
【００４５】
なお、内側分岐通路Ｒ５の上方の上部外向誘導部４４Ｔに遊技球が衝突した場合（跳ね返された場合）には外側分岐通路Ｒ４へと流れ込み易くなる。
【００４６】
外側分岐通路Ｒ４の下方（サイド普通入賞突部５９の斜め右下）には、拡張区画内側面１９Ｃに隣接して１対のサイド下部誘導釘６６，６６が設けられている。これら１対のサイド下部誘導釘６６，６６は、左下がりに傾斜した架空の線に沿って隣接して並べられ、本発明に係る下部内向誘導部６６Ｋを構成している。そして、遊技球が、外側分岐通路Ｒ４を流下して下部内向誘導部６６Ｋに衝突することで、前記した傾斜通路５７のサイド特別入賞口５７Ｋに入球し易くなるように構成されている。
【００４７】
また、入賞ブロック５３の右端部と拡張区画内側面１９Ｃとの間には、１対のアウトゲート釘６７，６７が設けられている。これら１対のアウトゲート釘６７，６７は、左下がりに傾斜した架空の線に沿って遊技球の１個分の間隔を空けて並べられていて、これら１対のアウトゲート釘６７，６７の間を通過した遊技球のみがアウト口１６Ｂから遊技板１１の後方に排出されるようになっている。即ち、これら１対のアウトゲート釘６７，６７の間は、実質的なアウト口になっている。そして、遊技球が、内側分岐通路Ｒ５を通過して前記した下部外向誘導部４７Ｔに衝突することで、１対のアウトゲート釘６７，６７の間に入球し易くなるように構成されている。以下、１対のアウトゲート釘６７，６７の間をアウト口６７Ｋということとする。
【００４８】
本実施形態のパチンコ遊技機１０の構造に関する説明は以上である。次に、回動片１４Ｃ、回動蓋５２、開閉スライド板５６の開閉制御を含む遊技の制御について簡単に説明する。第１及び第２の始動入賞部１４Ａ，１４Ｂに遊技球が入球すると、大当りか否かの大当りの当否判定が行われて、その当否判定結果が液晶表示画面１３Ｇに表示される。そして、当否判定結果が大当りであれば、１セット１６ラウンドの大当り遊技が実行され、その前半の１〜８ラウンドでは、第１可変入賞口５１が、所定時間だけ８回に亘って開いてそこに遊技球が入球可能になり、後半の９〜１６ラウンドでは、第２可変入賞口５５が、所定時間だけ８回に亘って開いてそこに遊技球が入球可能になる。
【００４９】
また、第１及び第２の可変入賞口５１，５５に遊技球が入球すると、それら以外の第１及び第２の始動入賞部１４Ａ，１４Ｂ、サイド普通入賞口５９Ａ等の入賞口に遊技球が入球した場合より多くの賞球が上皿２６に払い出される。
【００５０】
また、大当りの当否判定の際には、大当りの遊技の後に大当たりの確率が高確率になる確変状態にするか否か（特典を付与するか否か）の確変の当否判定も行われ、確変状態になると、次述する小当否判定で当りが発生し易くなる。その小当否判定は、始動ゲート５８に遊技球が入球したときに行われ、当りになると、第２始動入賞突部１４Ｂの回動片１４Ｃ，１４Ｃが所定の開放時間だけ開く。その回動片１４Ｃ，１４Ｃの開放時間は、通常状態時に比べて確変状態時の方が長くなる。また、通常状態時における小当否判定での当たりの確率は確変状態時よりも低く、更に回動片１４Ｃ，１４Ｃの開放時間も確変状態時よりも極めて短くなるように構成されている。そして、表示装飾枠２３の左側を通過した遊技球は、第１及び第２の始動入賞部１４Ａ，１４Ｂに対して上方から向かうので、通常状態時であっても表示装飾枠２３の左側を遊技球が通過すれば、第１及び第２の始動入賞部１４Ａ，１４Ｂに入球し得る。これに対して、表示装飾枠２３の右側を通過して傾斜通路５７を通過した遊技球は、側方から第２始動入賞突部１４Ｂに向かうことから第１の始動入賞部１４Ａに入球する可能性は低いので、通常状態時に、表示装飾枠２３の右側を通過した遊技球が、第１及び第２の始動入賞部１４Ａ，１４Ｂの何れかに入球する可能性は極めて低くなる。
【００５１】
一方、確変状態時には、回動片１４Ｃ，１４Ｃが開いて遊技球が第２始動入賞突部１４Ｂに側方から入球し易くなるので、表示装飾枠２３の右側を通過した遊技球の方が、第２始動入賞突部１４Ｂに誘導され易く構成されているため第２始動入賞突部１４Ｂに多く入球し、大当りの当否判定が通常状態時よりも多く行われるようになる。この制御により、通常状態時は表示装飾枠２３の左側を通過させた方が良く、確変状態時は表示装飾枠２３の右側を通過させた方が良いため、本実施形態のパチンコ遊技機１０では、表示装飾枠２３の左側に遊技球を流下させる左打ちと、表示装飾枠２３の右側に遊技球を流下させる右打ちとを打ち分けて楽しむことができる。
【００５２】
本実施形態のパチンコ遊技機１０の構成に関する説明は以上である。次に、本実施形態のパチンコ遊技機１０の作用効果について説明する。本実施形態のパチンコ遊技機１０では、右打ちを行って遊技領域Ｒ１の右側のサイド流下領域Ｒ３を複数の遊技球が流下すると、それら遊技球の一部は、サイド普通入賞突部５９によって外側と内側の分岐通路Ｒ４，Ｒ５の何れかに振り分けられる。そして、遊技球が内側分岐通路Ｒ５に流れ込むと入賞補助誘導部４５Ｔによりサイド普通入賞口５９Ａ（第１特典付与口）に入球し易くなるが、遊技球が外側分岐通路Ｒ４に流れ込むと、サイド普通入賞口５９Ａ（第１特典付与口）に入球しない。ところが、外側分岐通路Ｒ４に向かった遊技球が、その外側分岐通路Ｒ４の上方の上部内向誘導部６５Ｋに衝突すると、サイド普通入賞口５９Ａ（第１特典付与口）の上方を横切って内側分岐通路Ｒ５に流れこむように誘導され（跳ね返され）、そこで入賞補助誘導部４５Ｔによりサイド普通入賞口５９Ａ（第１特典付与口）に向かうように誘導可能（跳ね返え可能）に構成され、その上、サイド普通入賞口５９Ａ（第１特典付与口）に入球し易い内側分岐通路Ｒ５に流れ込んだのに、サイド普通入賞口５９Ａ（第１特典付与口）に入球せずに内側分岐通路Ｒ５を通過した遊技球は、下部外向誘導部４７Ｔで誘導されて（跳ね返されて）アウト口６７Ｋ側に誘導される一方、サイド普通入賞口５９Ａ（第１特典付与口）に入球しない外側分岐通路Ｒ４を通過した遊技球は、下部内向誘導部６６Ｋで誘導されて（跳ね返されて）、サイド特別入賞口５７Ｋ（第２特典付与口）側に誘導されるので、サイド流下領域Ｒ３が狭くなってもサイド普通入賞口５９Ａ（第１特典付与口）とアウト口６７Ｋとサイド特別入賞口５７Ｋ（第２特典付与口）とに対するバランスのとれた入球振分の構成とすることが可能となる。また、上部内向誘導部６５Ｋや下部内向誘導部６６Ｋを釘（サイド上部誘導釘６５，６５及びサイド下部誘導釘６６，６６）で構成したため、これらの釘６５，６６の配置や本数を調整することで入球振分を変えることができる。
【００５３】
また、サイド普通入賞口５９Ａ（第１特典付与口）に入球しない外側分岐通路Ｒ４に向かった遊技球が、その外側分岐通路Ｒ４の上方の上部内向誘導部６５Ｋに衝突することで、サイド普通入賞口５９Ａ（第１特典付与口）に入球し易くなるという逆転現象が生じ、しかも、その際遊技球が上部内向誘導部６５Ｋと入賞補助誘導部４５Ｔとによって、サイド流下領域Ｒ３の左右方向で流下方向を２度切り替えされてサイド普通入賞口５９Ａ（第１特典付与口）に向かうという趣向性が高い流下態様も楽しませることができる。また、上部内向誘導部６５Ｋは、外側分岐通路Ｒ４の上方に配置されて、入賞補助誘導部４５Ｔは、流下規制突部２４に一体形成されているので、サイド流下領域Ｒ３が左右方向で狭くても、これら上部内向誘導部６５Ｋ及び入賞補助誘導部４５Ｔを設けることができる。即ち、サイド流下領域Ｒ３が狭くなってもサイド普通入賞突部５９に対する遊技球の流下方向の振り分けによる趣向性を高くすることができる。さらに、サイド流下領域Ｒ３の下端部にアウト口６７Ｋとサイド特別入賞口５７Ｋ（第２特典付与口）とが左右方向に並べられてそれら何れに遊技球が入球するか振り分けられる構造になっているので、従来よりアウト口６７Ｋに対する遊技球の流下方向の振り分けによる趣向性も高くなる。
【００５４】
また、流下する遊技球が、外側分岐通路Ｒ４の下方の下部内向誘導部６６Ｋや、内側分岐通路Ｒ５の下方の下部外向誘導部４７Ｔに衝突することで遊技球の進路が変更されて（跳ね返されて）進路方向と逆方向に弾かれることからサイド普通入賞口５９Ａの下方でクロスする軌跡を描くので、サイド普通入賞口５９Ａに入賞しなかった場合でも趣向性が高い流下態様を遊技者に楽しませることができる。
【００５５】
また、サイド普通入賞口５９Ａ（第１特典付与口）に入球させるためには、外側分岐通路Ｒ４より内側分岐通路Ｒ５を遊技球が流下する方が有利であるが、サイド特別入賞口５７Ｋ（第２特典付与口）に入球させるには内側分岐通路Ｒ５より外側分岐通路Ｒ４を遊技球が流下する方が有利になっていて、さらに、第１特典付与口に入球しなかった場合には、サイド普通入賞口５９Ａ（第１特典付与口）に入球出来ない或いは困難な外側分岐通路Ｒ４よりもアウト口６７Ｋに入球する可能性が高い構成になっているので、外側と内側の分岐通路Ｒ４，Ｒ５の何れに遊技球が向かうことが遊技者にとって総合的に有利になるかに興味を抱かせることができ、この点においても趣向性が高くなる。
【００５６】
また、外側分岐通路Ｒ４の上方に備えた上部内向誘導部６５Ｋに衝突した遊技球群の一部は内側分岐通路Ｒ５に向けて誘導され（跳ね返され）、その誘導された（跳ね返された）遊技球が衝突し易い位置に配置された入賞補助誘導部４５Ｔによってサイド普通入賞口５９Ａに向けて誘導される（跳ね返される）構成になっているので、遊技球の流下態様が煩雑になり、このことによっても趣向性が高まる。さらに、内側分岐通路Ｒ５の上方に設けられた上部外向誘導部４４Ｔが、遊技球を外側分岐通路Ｒ４に向けて誘導する（跳ね返す）ため進路方向と逆方向に弾かれることから、サイド普通入賞口５９Ａの上方においても遊技球がクロスする軌跡を描き、このことによっても流下態様の趣向性が高くなる。
【００５７】
また、サイド特別入賞口５７Ｋ（第２特典付与口）に入球した遊技球が転動する傾斜通路５７内に第２可変入賞口５５が設けられているので、第２可変入賞口５５が開いている場合と閉じている場合とで、サイド普通入賞口５９Ａに入球することが、遊技者にとって総合的に有利に作用するか否かが煩雑になる。しかも、遊技球が傾斜通路５７に案内される位置には第２始動入賞突部１４Ｂが設けられているので、第２始動入賞突部１４Ｂの開閉状態の変化に伴って、サイド普通入賞口５９Ａに入球することの価値が変化し、サイド普通入賞口５９Ａに入球することが、遊技者に総合的に有利に作用するか否かが更に煩雑になり、趣向性がより一層高くなる。
【００５８】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００５９】
（１）前記実施形態では、パチンコ遊技機に本発明を適用していたが、遊技機であれば、コイン遊技機やスロットマシン、アレンジボール等に備えてもよい。
【００６０】
（２）前記実施形態では、外寄開口縁釘６２と頂点釘６３との間に障害釘６４を備えて、外側分岐通路Ｒ４側からサイド普通入賞突部５９に遊技球が入球できないように構成されていたが、障害釘６４を設けずに、外寄開口縁釘６２と頂点釘６３との間隔を狭くして、外側分岐通路Ｒ４側からサイド普通入賞突部５９に遊技球が入球できないように構成にしてもよい。
【００６１】
（３）また、障害釘６４を排除し、内寄開口縁釘６１と頂点釘６３との間に比べて、外寄開口縁釘６２と頂点釘６３との間を狭くするか或いは、遊技球が入荷し難い向きにして、内側分岐通路Ｒ５と外側分岐通路Ｒ４との何れからもサイド普通入賞突部５９に入球するが、内側分岐通路Ｒ５の方がサイド普通入賞突部５９に入球し易い構成にしてもよい。
【００６２】
（４）前記実施形態の上部内向誘導部６５Ｋと下部内向誘導部６６Ｋは、共に釘で構成されていたが、樹脂によって一体的（板状等）に構成してもよい。また、例えば区画レール１９と一体になった樹脂で構成されていてもよい。
【符号の説明】
【００６３】
１０    パチンコ遊技機
１１    遊技板
１２Ａ  第１ガイドレール（区画壁）
１２Ｂ  第２ガイドレール（区画壁）
１４Ｂ  第２始動入賞部（第３特典付与口）
１６Ａ，１６Ｂ，６７Ｋ    アウト口
１９    区画レール（区画壁）
２４    流下規制突部
４４Ｔ  上部外向誘導部
４５Ｔ  入賞補助誘導部
４７Ｔ  下部外向誘導部
５４    傾斜転動面
５５    第２可変入賞口
５７    傾斜通路
５７Ｋ  サイド特別入賞口（第２特典付与口）
５９    サイド普通入賞突部（サイド入賞突部）
５９Ａ  サイド普通入賞口（第１特典付与口）
６０    釘
６１    内寄開口縁釘
６１Ｋ  通過門口
６２    外寄開口縁釘
６３    頂点釘
６４    障害釘
６５Ｋ  上部内向誘導部
６６Ｋ  下部内向誘導部
Ｒ４    外側分岐通路
Ｒ５    内側分岐通路
【要約】
【課題】入球振分のバランスのとれた遊技機の提供を目的とする。
【解決手段】本発明のパチンコ遊技機１０では、サイド流下領域Ｒ３を流下する遊技球がサイド普通入賞突部５９により内側分岐通路Ｒ５と外側分岐通路Ｒ４とに振り分けられる。そして、サイド普通入賞口５９Ａに入賞するには内側分岐通路Ｒ５の方が有利であるが、外側分岐通路Ｒ４に向かった遊技球が、上部内向誘導部６５Ｋに衝突すると、内側分岐通路Ｒ５に向けて誘導され、そこで入賞補助誘導部４５Ｔによりサイド普通入賞口５９Ａに向けて誘導され、その上、内側分岐通路Ｒ５に流れ、サイド普通入賞口５９Ａに入球せずに通過した遊技球は、アウト口６７Ｋ側に誘導される一方、外側分岐通路Ｒ４を通過した遊技球は、サイド特別入賞口５７Ｋ側に誘導されるので、入賞突部とアウト口に対するバランスのとれた入球振分の構成とすることが可能となる。
【選択図】図４【図１】
0005536239.tif 000002
【図２】
0005536239.tif 000003
【図３】
0005536239.tif 000004
【図４】
0005536239.tif 000005